(57)【特許請求の範囲】
【請求項１】
パン類(14)が収容された包装袋(12)の物品収容縁部(17)から開口部側に向けて延在する袋延在部(18)の対向する一対の側面(12a,12a)にガセット折込部(20)が夫々形成され、
少なくとも前記袋延在部内の空気が略脱気された状態で、包装袋(12)の開口端縁部寄りの袋延在部(18)に、包装袋(12)を密封する開封容易な熱シールである帯状シール部(22)が形成された後に、
前記袋延在部(18)における帯状シール部(22)の形成位置を除く位置であって、該帯状シール部(22)と前記物品収容縁部(17)との間に、結束具(26)が着脱可能に装着されて結束してある
ことを特徴とするパン類の袋詰め品結束包装体。
【請求項２】
前記パン類(14)は食パンであり、前記包装袋(12)は、食パンを収容することでその底面が該パンの外形寸法に沿って四角形となる角底状を呈して、収容された食パンの周囲にだぶ付きが生じない包装状態となる底部側にガセット(16)が付された袋である請求項１記載のパン類の袋詰め品結束包装体。
【請求項３】
前記袋延在部(18)には、前記包装袋(12)の開口端縁部と略平行な複数本の前記帯状シール部(22)が並列に形成されている請求項１または２記載のパン類の袋詰め品結束包装体。
【請求項４】
パン類(14)が収容された包装袋(12)の開口部側を結束する方法であって、
前記パン類(14)が収容された包装袋(12)の物品収容縁部(17)から開口部側に向けて延在する袋延在部(18)において、その対向する一対の側面(12a,12a)にガセット折込部(20)をガセット折込手段により夫々形成すると共に、少なくとも前記袋延在部内の空気を略脱気状態としたもとで、包装袋(12)の開口端縁部寄りの袋延在部(18)に、包装袋(12)を密封する開封容易な帯状シール部(22)を加熱シール手段によって形成した後に、
前記袋延在部(18)における帯状シール部(22)の形成位置を除く位置であって、該帯状シール部(22)と前記物品収容縁部(17)との間に、結束具(26)を着脱可能に装着することで結束する
ことを特徴とするパン類の袋詰め品結束包装方法。
【発明の詳細な説明】
【０００１】
【発明の属する技術分野】
本発明は、パン類が収容された包装袋の開口部を、繰返し開閉可能に結束具で結束したパン類の袋詰め品結束包装体および包装方法に関するものである。
【０００２】
【従来の技術】
食パンその他パン類の袋詰めに際しては、包装袋の開口部を繰返し開閉できるように、各種の結束具により包装袋の開口部側を束ねて結束した包装体が採用されている。しかし、単に結束具で開口部側を結束しただけでは、包装袋の内部と外部との結束部分を完全に遮断することができずに隙間が生じた状態となるため、製造から販売までに至る製品流通過程等において、袋内に異物が侵入してしまうおそれがある。そこで、この異物侵入を防止するための包装構造として、例えば、特許第３０３２１６３号公報に記載のものが提案されている。この提案に係る包装構造は、包装袋の開口部側に、該包装袋の内部と外部とを略遮断する帯状シール部を複数個のドット状の熱溶着部により部分的に溶着すると共に、該シール位置に対応して結束具を装着して結束することで、前記の問題を解消し得るものとなっている。
【０００３】
【発明が解決しようとする課題】
しかしながら、前述した従来の技術によれば、シール位置と結束具による結束位置を一致させる必要があるために、自動包装を行なう場合において確実な位置合わせをすることは容易ではない。また前記帯状シール部は、ドット状の熱溶着部を複数個形成することにより開封容易に設定されている。このため、結束具の形態によっては、該結束具をシール位置に装着するに際し、帯状シール部に強い力が加わって結束具が装着し難く、最悪の場合には剥がれてしまうおそれがある。また従来の技術では、帯状シール部がドット状の熱溶着部により部分的に溶着されているに過ぎず、密封されていないために袋内部への異物侵入防止が不充分である。更に、この従来の技術の包装構造では、包装袋の形態(平袋状)を維持したまま帯状シール部を幅全体に施しているため、該シール部に結束具を装着することで開口部側が束ねられると、その結束位置より開口部側に略扇状に延在することとなる袋耳部の幅が、袋胴部の幅に対して大きく広がって見栄えを損なう難点がある。
【０００４】
【発明の目的】
本発明は、前述した従来の技術に内在している前記課題に鑑み、これを好適に解決するべく提案されたものであって、袋内部への異物の侵入を確実に防止でき、かつ結束に際して帯状シール部の剥がれを抑制し得ることに加えて、包装後における見栄えを向上して製品価値を高めた包装が可能なパン類の袋詰め品結束包装体および包装方法を提供することを目的とする。
【０００５】
【課題を解決するための手段】
前述した課題を解決し、所期の目的を好適に達成するため、本発明に係るパン類の袋詰め品結束包装体は、
パン類が収容された包装袋の物品収容縁部から開口部側に向けて延在する袋延在部の対向する一対の側面にガセット折込部が夫々形成され、
少なくとも前記袋延在部内の空気が略脱気された状態で、包装袋の開口端縁部寄りの袋延在部に、包装袋を密封する開封容易な熱シールである帯状シール部が形成された後に、
前記袋延在部における帯状シール部の形成位置を除く位置であって、該帯状シール部と前記物品収容縁部との間に、結束具が着脱可能に装着されて結束してあることを特徴とする。
【０００６】
また前述した課題を解決し、所期の目的を好適に達成するため、本願の別の発明に係るパン類の袋詰め品結束包装方法は、
パン類が収容された包装袋の開口部側を結束する方法であって、
前記パン類が収容された包装袋の物品収容縁部から開口部側に向けて延在する袋延在部において、その対向する一対の側面にガセット折込部をガセット折込手段により夫々形成すると共に、少なくとも前記袋延在部内の空気を略脱気状態としたもとで、包装袋の開口端縁部寄りの袋延在部に、包装袋を密封する開封容易な帯状シール部を加熱シール手段によって形成した後に、
前記袋延在部における帯状シール部の形成位置を除く位置であって、該帯状シール部と前記物品収容縁部との間に、結束具を着脱可能に装着することで結束することを特徴とする。
なお、本発明に用いられる結束具としては、例えば、テープ、紐、輪ゴム、合成樹脂を材質としてスリットを設けた板状のもの等が挙げられる。
【０００７】
包装袋の物品収容縁部から開口部側に延在する袋延在部に形成された帯状シール部により密封(すなわち、開封容易にするためシール力を弱くしてあるが、例えばドット状に部分的に熱シールするのではなく、全体的に隙間なく熱シールを行なうこと)されていることから、開口部から袋内への異物の侵入は確実に防止される。また、袋延在部における帯状シール部の形成位置を除く位置に結束具を装着するので装着が容易であり、しかもその装着に際して帯状シール部が剥がれるのは抑制される。更に、袋延在部にはガセット折込部が形成されているから、結束具により該延在部を束ねた状態で、その結束位置より開口部側に扇状に延在する袋耳部の幅は袋胴部に対して大きくなりすぎず、包装後の見栄えは損なわれない。更にまた、袋延在部内の空気が略脱気された状態で帯状シール部が形成されることで、収容されたパン類に対して包装袋のふくらみを無くした包装体とし、またこれにより、製品流通過程において製品が占める無駄なスペースを割愛することが可能となる。また、製品流通過程において包装袋への外圧等により包装袋内の空気圧が高まった際に、帯状シール部が剥離するおそれを最小限とすることができる。
【０００８】
また本発明は、前記帯状シール部を包装袋の開口端縁部寄りに形成するようにしたものであり、これにより、該シール部から開口端縁部までに至る未シール部を短く設定でき、製品流通過程において該未シール部内に異物が侵入してしまう危険は最小限となる。更に本発明は、食パンを包装する場合に、包装袋として食パンを収容することで角底となる底部側にガセットが付いた袋を用いるようにしたものであり、これにより、該袋に収容された食パンの周囲がだぶ付いた包装状態とならず、見栄えが一層良好となる。更にまた、本発明は、複数の帯状シール部を形成するようにしたものであり、これにより、製品流通過程等で複数の内の一つの帯状シール部に誤って剥離が生じた場合であっても、他の帯状シール部によって袋内への異物侵入を防止可能である。
【０００９】
【発明の実施の形態】
次に、本発明に係るパン類の袋詰め品結束包装体および包装方法につき、好適な実施例を挙げて、添付図面を参照しながら以下説明する。
【００１０】
図１は、実施例に係る袋詰め品結束包装体(以下 単に包装体と云う)を示すものであって、該包装体１０は、一方に開口部を有する筒状に成形されている包装袋１２に、例えばパン類として複数(実施例では６枚)のスライスパンを纏めた略矩形状を呈する食パン１４が収容されている。この包装袋１２は、図２に示す如く、幅方向両側に溶断シール１３が形成されると共に、平袋状態で底部側の幅方向全体にフィルムが底面側から袋内方側に折込まれたガセット１６が形成されたガセット付き袋であって、片面熱溶着性のフィルムから成形されると共に、その熱溶着面が包装袋１２の内側となるよう設定される。そして、この包装袋１２に矩形状の食パン１４を収容することで、その底面が該パン１４の外形寸法に沿って四角形となる角底状を呈して、収容された食パン１４の周囲にだぶ付きが生じない包装状態となり、良好な見栄えが得られるようになっている。なお、包装状態の包装袋１２における食パン１４の身部分(切断面)と対向する各底部側には、底部側のガセット折込部１６ａが夫々臨み、包装袋１２の保形状態が確保される(図３,図４参照)。前記包装袋１２の袋素材としては、例えばポリエチレン、ポリプロピレンの単体フィルムまたはこれらの複合フィルム等、その他各種のプラスチックフィルムが好適に使用される。なお実施例の包装袋１２は、収容された食パン１４を外部から視認し得るように透明フィルムが使用されている。
【００１１】
前記包装袋１２の物品収容縁部(食パン１４の開口部側に臨む端部と対応する部位)１７から開口部側に向けて延在する袋延在部１８において、前記食パン１４の身部分と対向する一対の第１側面１２ａ,１２ａに、各側面１２ａを幅方向の中央で袋内方側に折込んだ開口部側のガセット折込部２０が夫々形成されている(図３,図４参照)。また袋延在部１８では、包装袋１２における食パン１４の耳部分と対向する一対の第２側面１２ｂ,１２ｂが重合して、少なくとも袋延在部内の空気が略脱気された状態となっていると共に、包装袋１２の開口端縁部寄りで該縁部に近接する位置には、該包装袋１２を密封する開口端縁部と略平行な複数(実施例では２本)の帯状シール部２２が並列に形成されている(図３参照)。なお、帯状シール部２２は、その開封に際して包装袋１２が裂けたり破れることなく容易に開封し得るシール強度で熱溶着してある。包装袋１２の開口端縁部には、前記一方の第２側面１２ｂおよび該第２側面１２ｂに連続する両第１側面１２ａ,１２ａの幅方向中央までに亘り、その開口端縁部から更に外方に所定長さで延出する突出部２４が形成されている(図３参照)。
【００１２】
前記袋延在部１８には、前記物品収容縁部１７から帯状シール部２２までに至る間で、かつ該シール部２２と干渉しない位置に、板状の結束具２６が着脱可能に装着されている。この結束具２６は、図５に示す如く、合成樹脂を材質として略四角形の環状に形成されると共に、その一辺部には、孔部２６ａと外部とを連通するスリット２６ｂが形成されている。そして、スリット２６ｂを介して結束具２６の孔部２６ａに挿入した前記袋延在部１８を束ねた状態で保持することで、包装袋１２の開口部側を結束するよう構成される。なお実施例では、袋延在部１８の物品収容縁部１７に近接した位置に結束具２６を装着してある(図１参照)。
【００１３】
前記袋延在部１８の帯状シール部２２より開口部側には、袋幅方向に向けて帯状の印刷模様２８が複数印刷されている。なお印刷模様２８は、帯状シール部２２と重ならない位置に印刷されるのが好ましいが、必要に応じて重なっていてもよい。また、その意匠は帯状模様に限らず他の模様でもよいし、あるいは印刷模様２８自体を省略することも可能である。更に、包装袋１２における食パン１４を収容している胴部には、商品名、製造年月日、原材料名等、各種の情報の他に、商品に関連するデザイン画等が適宜に印刷される(図示せず)。
【００１４】
実施例に係る包装体１０によれば、前記包装袋１２の袋延在部１８に、該袋１２を密封する帯状シール部２２を形成したので、製品流通過程等において開口部から袋内部への異物の侵入を確実に防止できる。すなわち、帯状シール部２２は開封容易にするためシール力を弱くしてあるが、例えばドット状に部分的に熱シールするのではなく、全体的に隙間なく熱シールを行なって密封しているから、異物侵入を確実に防止し得るものである。なお、帯状シール部２２のシール力は弱く、その開封に際して包装袋１２が裂けたり破れることなく容易に開封し得る。また袋延在部１８における帯状シール部２２と干渉しない位置に結束具２６を装着して結束したから装着が容易であり、加えて該結束具２６の装着に際して帯状シール部２２に強い力が加わって剥がれるのを抑制し得る。更に、結束具２６を物品収容縁部１７に近接した位置に装着しているから、包装袋１２と食パン１４との間のだぶ付きを抑制でき、各スライスパンがバラけるのを防止して良好な包装状態を維持できる。更にまた、少なくとも袋延在部内の空気は略脱気されているから、食パン１４に対して包装袋１２のふくらみを無くした包装体１０を得ることができ、これにより製品流通過程において製品が占める無駄なスペースを割愛することが可能となる。また、製品流通過程において包装袋１２への外圧等により包装袋内の空気圧が高まった際に、帯状シール部２２が剥離するおそれを最小限とすることができる。更に、袋延在部１８にはガセット折込部２０,２０が形成されているから、結束具２６により該延在部１８を束ねた状態で、その結束位置より開口部側に扇状に延在する袋耳部の幅は袋胴部に対して大きくなりすぎず、包装後の見栄えは損なわれない。
【００１５】
前記帯状シール部２２を包装袋１２の開口端縁部寄りで該縁部に近接する位置に形成したので、該シール部２２から開口端縁部に至る未シール部は短く、製品流通過程において当該未シール部内に異物が侵入してしまう危険を最小限に抑えることができる。また、食パン１４を収容することで角底となるガセット付きの袋を用いることで、矩形状の食パン１４の周囲がだぶ付いた包装状態とならず、見栄えが一層良好となる。更に、複数の帯状シール部２２を形成してあるから、製品流通過程等で複数のうちの一つの帯状シール部２２に誤って剥離が生じた場合であっても、他の帯状シール部２２によって袋内への異物侵入を防止することができる。
【００１６】
次に、前述した包装体を製造するための本発明に係る包装方法を実施する工程につき、図２〜図５により示される具体例を参照して説明する。図２に示す平袋状の包装袋１２の袋口部に、エア吹込み手段等によりエアを吹込むことで該袋口部を開口した状態で、複数枚のスライスパンを纏めた食パン１４を該開口部から袋内部に押込み、該パン１４の耳部を包装袋１２の底面に当接させる(図３参照)。このとき、矩形状の食パン１４の外形寸法に沿って包装袋１２の底面が四角形となる角底状を呈すると共に、該包装袋１２の底面側における食パン１４の身部分と対向する部分には、フィルムが底面側から袋内側に折込まれた底部側のガセット折込部１６ａ,１６ａが臨み、包装袋１２の保形状が確保される。
【００１７】
前記食パン１４が収容された包装袋１２の前記袋延在部１８における食パン１４の身部分と対向する第１側面１２ａ,１２ａを、その幅方向の略中央部においてガセット形成爪等のガセット形成手段を挿入する等によって袋内側に折込むことで、開口部側のガセット折込部２０,２０を形成する(図４参照)と共に、外方から押える脱気手段等によって少なくとも袋延在部内の空気が略脱気されたもとで、該袋延在部１８の開口端縁部寄りで該縁部に近接する位置に、該開口端縁部と平行で開封容易な複数の帯状シール部２２を加熱シールによって形成し、密封する。この帯状シール部２２は、例えば升目状の凹シール面が形成された第１シールバーと、縦または横方向に所定間隔で山形の凸シール部が複数並ぶシール面を有する第２シールバーとを相互に当接させることによって形成される。すなわちこの場合は、凹凸の両シール面の当接部で袋延在部１８が加圧熱シールされると共に、該当接部の両側で凹凸のシール面が当接しない部位(加圧されない部位)では当接部での加圧熱シールより弱い熱シールが施され、手指での容易な開封が可能となる。なお第２シール体として、平坦なシール面を有するものを用いても、開封容易な帯状シール部２２を形成し得る。ちなみに、第１シール体と第２シール体とから加熱シール手段が構成されるが、この手段はシールローラ等であってもよい。
【００１８】
次に、前記袋延在部１８における物品収容縁部１７から帯状シール部２２までに至る間の適宜位置に対し、該袋延在部１８を適宜の保持手段により挟持した状態で、袋延在部１８における帯状シール部２２の延在方向の一側端部と前記結束具２６のスリット２６ｂ側とを対向して相互に近接し、該袋延在部１８をスリット２６ｂを介して前記孔部２６ａに差込んで束ねることで結束具２６を袋延在部１８に装着する。これより、包装袋１２の開口部側は結束具２６により結束される。
【００１９】
実施例に係る袋詰め品結束包装方法では、包装袋１２における物品収容縁部１７から帯状シール部２２までに至る間の適宜位置に結束具２６を装着して結束するので、シール位置にこだわることなく、該結束具２６を食パン１４の縁部に近接位置させることができ、包装袋１２と食パン１４とのだぶつきを抑制した包装体１０を製造し得る。またシール位置と結束位置とを一致させる必要はないから、自動包装が容易となる。しかも、袋延在部１８における帯状シール部２２と干渉しない位置に結束具２６を装着するから、その装着が容易であり、また該結束具２６の装着に際して帯状シール部２２に強い力が加わって剥がれるのは抑制される。
【００２０】
前述した実施例では、袋延在部に形成した帯状シール部と物品収容縁部との間の袋延在部に結束具を装着したが、該帯状シール部を物品収容縁部に近接する位置に形成すると共に、この帯状シール部から開口端縁部までに至る適宜位置に結束具を装着するようにしてもよい。また帯状シール部の形成数については、実施例のように２本に限定されるものでなく、１本のみあるいは３本以上であってもよい。更に、シール幅も、必要に応じて自由に設定し得る。
【００２１】
前記帯状シール部を開封容易に密封する手段としては、フィルム素材に特殊加工や処理を施したり、あるいはシール温度を低温またはシール圧力を低圧、更にはこれらの組合わせによりフィルムを熱シールして密封する等、各種の手段を適宜に採用し得るが、その場合であっても、袋素材のフィルムが裂けたり破れたりすることなく包装袋の機能が保たれた状態で開封できるようになっていればよい。また帯状シール部のシール目については、ベタ状、その他各種の溶着状態の何れか１つあるいは複数の組合わせを採用可能である。なお、包装袋に収容するパン類としては、複数のスライスパンからなる食パンに限らず、スライスされていない食パンや、その他ロールパンやフランスパン等の別の形態のパンであってもよい。
【００２２】
【発明の効果】
以上説明した如く、本発明に係る請求項１に係るパン類の袋詰め品結束包装体によれば、包装袋の袋延在部に該包装袋を密封する開封容易な帯状シール部を形成したので、包装袋の開口部からの異物の侵入を確実に防止できる。また、少なくとも袋延在部内の空気を略脱気してあるから、収容されているパン類に対して包装袋のふくらみを無くした包装体とし、またこれにより、製品流通過程において製品が占める無駄なスペースを割愛することが可能となる。更に、製品流通過程において包装袋への外圧等により包装袋内の空気圧が高まった際に、帯状シール部が剥離するおそれを最小限とすることができる。更にまた、袋延在部における帯状シール部と干渉しない位置に結束具を装着して結束したことで、その装着が容易であり、加えて該結束具の装着に際して帯状シール部に強い力が加わって剥がれるのを抑制し得る。なお、袋延在部にはガセット折込部が形成されているから、結束具により該延在部を束ねた状態で、その結束位置より開口部側に扇状に延在する袋耳部の幅は袋胴部に対して大きくなりすぎず、包装後の見栄えが損なわれることはない。
帯状シール部を包装袋の開口端縁部寄りに形成したので、該シール部から開口端縁部に至る未シール部を短く設定でき、製品流通過程において当該未シール部内に異物が侵入してしまう危険を最小限にできる。また結束具をパン類の収容縁部に近接して袋延在部に装着し得るから、パン類に対して包装袋のふくらみを無くした包装体とすることができる。包装袋における物品収容縁部から帯状シール部までに至る間の適宜位置に結束具を装着して結束する場合は、袋延在部内の空気は略脱気された状態であるから、該袋延在部を束ねて結束具で結束する際に袋内の空気圧が高まって帯状シール部に孔があくのは抑制される。
【００２３】
請求項２に係るパン類の袋詰め品結束包装体によれば、矩形状の食パンを包装する際に、該食パンを収容することで角底となるガセット付きの袋を用いることで、食パンの周囲がだぶ付いた包装状態とならず、スライスされた個々のパンの整列状態が保持され、見栄えが一層良好となる。また、請求項３に係るパン類の袋詰め品結束包装体によれば、複数の帯状シール部を形成してあるから、一つの帯状シール部に剥離が生じた場合であっても、他の帯状シール部によって袋内への異物侵入を防止できる。
【００２４】
請求項４に係る袋詰め品結束包装方法によれば、包装袋を密封する帯状シール部を形成するため、包装袋の開口部からの異物の侵入を確実に防止することができ、また帯状シール部のシール位置と結束具の結束位置とを一致させる必要はないから、自動包装が容易となり、前述した効果(段落番号[００２２]参照)を奏する袋詰め品結束包装体を製造することができる。また帯状シール部を包装袋の開口端縁部寄りに形成したので、該シール部から開口端縁部に至る未シール部を短く設定でき、製品流通過程において当該未シール部内に異物が侵入してしまう危険を最小限にできる。包装袋における物品収容縁部から帯状シール部までに至る間の適宜位置に結束具を装着して結束する場合は、袋延在部内の空気は略脱気された状態であるから、該袋延在部を束ねて結束具で結束する際に袋内の空気圧が高まって帯状シール部に孔があくのは抑制される。
【図面の簡単な説明】
【図１】本発明の好適な実施例に係るパン類の袋詰め品結束包装体を示す斜視図である。
【図２】本発明の好適な実施例に係るパン類の袋詰め品結束包装方法において、包装袋に食パンを収容する前の状態を示す斜視図である。
【図３】本発明の好適な実施例に係るパン類の袋詰め品結束包装方法において、袋口部を開口した包装袋に食パンを収容する状態を示す斜視図である。
【図４】実施例に係るパン類の袋詰め品結束包装方法において、食パンを収容した包装袋における袋延在部にガセット折込部を形成した状態を示す斜視図である。
【図５】実施例に係るパン類の袋詰め品結束包装方法において、袋延在部に帯状シール部を形成すると共に結束具を装着する状態を示す斜視図である。
【符号の説明】
１２  包装袋
１４  食パン(パン類)
１６  ガセット
１６ａ  底部側のガセット折込部
１７  物品収容縁部
１８  袋延在部
２０  開口部側のガセット折込部
２２  帯状シール部
２６  結束具
【図１】
0003882105.tif 000002
【図２】
0003882105.tif 000003
【図３】
0003882105.tif 000004
【図４】
0003882105.tif 000005
【図５】
0003882105.tif 000006